(57)【要約】      （修正有）【課題】操作部を安定した状態で載置することが可能な医療用イメージング装置を提供する。【解決手段】この近赤外蛍光イメージング装置（医療用イメージング装置）は、被検体内の蛍光剤に光を照射する第２光源部と、第２光源部から照射される近赤外線励起光により発生された、被検体内からの近赤外蛍光を検出する近赤外蛍光センサと、第２光源部および近赤外蛍光センサが設けられる装置本体部３０と、装置本体部３０とは別個に移動可能に設けられ、装置を操作するための操作部２０とを備え、装置本体部３０の上面部３０ａには、凹部３３が設けられるとともに、操作部２０には、凹部３３に移動可能に係合する凸部２２が設けられている。【選択図】図５
2017209386.tif 000002
【特許請求の範囲】
【請求項１】
被検体内の造影剤に光を照射する光源部と、
前記光源部から照射される光により発生された、前記被検体内からの光を検出する検出部と、
前記光源部および前記検出部が設けられる装置本体部と、
前記装置本体部とは別個に移動可能に設けられ、装置を操作するための操作部とを備え、
前記装置本体部の上面部には、第１係合部が設けられるとともに、前記操作部には、前記第１係合部に移動可能に係合する第２係合部が設けられている、医療用イメージング装置。
【請求項２】
前記装置本体部の前記上面部には、凹状の前記第１係合部が設けられ、前記操作部には、前記凹状の第１係合部に移動可能に係合する凸状の前記第２係合部が設けられている、請求項１に記載の医療用イメージング装置。
【請求項３】
前記凹状の第１係合部は、所定の方向に沿って略直線状に延びる溝形状を有し、
前記凸状の第２係合部は、前記溝形状の第１係合部に嵌め込まれた状態で、前記溝形状の第１係合部に沿ってスライド移動可能なように、前記所定の方向に沿って略直線状に延びるように設けられている、請求項２に記載の医療用イメージング装置。
【請求項４】
前記装置本体部は、移動可能に構成されており、
前記溝形状の第１係合部は、前記装置本体部の移動方向と交差する方向に沿って略直線状に延びるように構成されている、請求項３に記載の医療用イメージング装置。
【請求項５】
前記操作部は、ケーブルにより前記装置本体部に接続されており、
前記溝形状の第１係合部は、前記ケーブルの自重により、前記操作部が引っ張られる方向と交差する方向に沿って略直線状に延びるように構成されている、請求項３または４に記載の医療用イメージング装置。
【請求項６】
前記溝形状の第１係合部の、前記所定の方向に沿った方向の長さは、前記凸状の第２係合部の、前記所定の方向に沿った方向の長さよりも大きい、請求項３〜５のいずれか１項に記載の医療用イメージング装置。
【請求項７】
前記装置本体部は、前記上面部に交差する側面部を含み、
前記溝形状の第１係合部の前記所定の方向に沿った方向の一方端および他方端が前記側面部に達しないように、前記溝形状の第１係合部の一方端および他方端には、それぞれ、壁部が設けられている、請求項３〜６のいずれか１項に記載の医療用イメージング装置。
【請求項８】
前記溝形状の第１係合部の、開口端面側でかつ前記所定の方向に直交する方向の角部は、丸みを帯びるように面取りされている、請求項３〜７のいずれか１項に記載の医療用イメージング装置。
【請求項９】
前記第１係合部は、前記装置本体部の前記上面部に複数設けられている、請求項１〜８のいずれか１項に記載の医療用イメージング装置。
【請求項１０】
前記被検体内の造影剤は、蛍光剤を含み、
前記光源部は、前記被検体内の蛍光剤に近赤外線励起光を照射するように構成されており、
前記検出部は、前記光源部から照射される近赤外線励起光により発生された、前記被検体内からの近赤外線蛍光を検出するように構成されている、請求項１〜９のいずれか１項に記載の医療用イメージング装置。
【発明の詳細な説明】
【技術分野】
【０００１】
本発明は、医療用イメージング装置に関し、特に、被検体内からの光を検出する検出部を備える医療用イメージング装置に関する。
【背景技術】
【０００２】
従来、被検体内からの光を検出する検出部を備える医療用イメージング装置が知られている（たとえば、特許文献１参照）。
【０００３】
上記特許文献１に記載の医療用イメージング装置では、赤外光源から、被検体内に注入された蛍光色素を励起するための赤外光が照射される。そして、赤外光が照射されることにより蛍光色素から発生した光（赤外線）をカメラにより撮影するように構成されている。そして、カメラにより撮影された画像が、表示部に表示される。また、医療用イメージング装置には、医療用イメージング装置を操作するための入力部（操作部）が設けられている。
【０００４】
ここで、上記特許文献１に記載のような従来の医療用イメージング装置では、入力部が装置本体部とは別個に設けられている場合がある。そして、医療用イメージング装置の使用時に、装置本体部とは別個に設けられた入力部が装置本体部の平坦面上の上面部に載置される場合や、入力部の保管や装置を部屋間で移動させる際に入力部が装置本体部の上面部に載置される場合がある。
【先行技術文献】
【特許文献】
【０００５】
【特許文献１】特開２０１５−１８８５５９号公報
【発明の概要】
【発明が解決しようとする課題】
【０００６】
ここで、上記特許文献１に記載のような医療用イメージング装置において、装置本体部の平坦面上の上面部には、モニタや書類（カルテ等）などの備品が載置される場合がある。このため、装置本体部の上面部に載置された入力部に備品などが衝突することなどに起因して、入力部が上面部から滑り落ちてしまう場合があるという不都合がある。すなわち、入力部（操作部）が安定しないという問題点がある。
【０００７】
この発明は、上記のような課題を解決するためになされたものであり、この発明の１つの目的は、操作部を安定した状態で載置することが可能な医療用イメージング装置を提供することである。
【課題を解決するための手段】
【０００８】
上記目的を達成するために、この発明の一の局面における医療用イメージング装置は、被検体内の造影剤に光を照射する光源部と、光源部から照射される光により発生された、被検体内からの光を検出する検出部と、光源部および検出部が設けられる装置本体部と、装置本体部とは別個に移動可能に設けられ、装置を操作するための操作部とを備え、装置本体部の上面部には、第１係合部が設けられるとともに、操作部には、第１係合部に移動可能に係合する第２係合部が設けられている。
【０００９】
この発明の一の局面による医療用イメージング装置では、上記のように、装置本体部の上面部には、第１係合部が設けられるとともに、操作部には、第１係合部に移動可能に係合する第２係合部が設けられている。これにより、操作部を装置本体部の上面部に係合することができるので、装置本体部の上面部に載置された備品などが操作部に衝突することに起因して操作部が上面部から滑り落ちてしまうのを抑制することができる。その結果、操作部を安定した状態で医療用イメージング装置に載置することができる。
【００１０】
上記一の局面による医療用イメージング装置において、好ましくは、装置本体部の上面部には、凹状の第１係合部が設けられ、操作部には、凹状の第１係合部に移動可能に係合する凸状の第２係合部が設けられている。このように構成すれば、装置本体部の上面部に凸状の第１係合部が設けられる場合と異なり、装置本体部の上面部を平坦面にすることができる。これにより、装置本体部の上面部上に、操作部以外の備品などを容易に載置することができる。
【００１１】
この場合、好ましくは、凹状の第１係合部は、所定の方向に沿って略直線状に延びる溝形状を有し、凸状の第２係合部は、溝形状の第１係合部に嵌め込まれた状態で、溝形状の第１係合部に沿ってスライド移動可能なように、所定の方向に沿って略直線状に延びるように設けられている。このように構成すれば、操作部を装置本体部の上面部の中央部近傍から端部側にスライド移動させることによって、装置本体部の上面部上の空き領域（備品などを載置するための領域）を広げることができる。また、ユーザが操作部を操作しやすい位置に、操作部を移動させることができる。
【００１２】
上記第１係合部が溝形状を有する医療用イメージング装置において、好ましくは、装置本体部は、移動可能に構成されており、溝形状の第１係合部は、装置本体部の移動方向と交差する方向に沿って略直線状に延びるように構成されている。このように構成すれば、装置本体部が移動する場合、装置本体部の移動方向に操作部が移動する（動く）のを、溝形状の第１係合部により抑制することができる。
【００１３】
上記第１係合部が溝形状を有する医療用イメージング装置において、好ましくは、操作部は、ケーブルにより装置本体部に接続されており、溝形状の第１係合部は、ケーブルの自重により、操作部が引っ張られる方向と交差する方向に沿って略直線状に延びるように構成されている。このように構成すれば、操作部がケーブルの自重により引っ張られて移動するのを、溝形状の第１係合部により抑制することができる。
【００１４】
上記第１係合部が溝形状を有する医療用イメージング装置において、好ましくは、溝形状の第１係合部の、所定の方向に沿った方向の長さは、凸状の第２係合部の、所定の方向に沿った方向の長さよりも大きい。このように構成すれば、操作部の所定の方向に沿った移動距離を比較的大きくすることができる。
【００１５】
上記第１係合部が溝形状を有する医療用イメージング装置において、好ましくは、装置本体部は、上面部に交差する側面部を含み、溝形状の第１係合部の所定の方向に沿った方向の一方端および他方端が側面部に達しないように、溝形状の第１係合部の一方端および他方端には、それぞれ、壁部が設けられている。このように構成すれば、溝形状の第１係合部が側面部に達している場合と異なり、操作部のスライド移動による操作部の装置本体部からの脱落を壁部により抑制することができる。
【００１６】
上記第１係合部が溝形状を有する医療用イメージング装置において、好ましくは、溝形状の第１係合部の、開口端面側でかつ所定の方向に直交する方向の角部は、丸みを帯びるように面取りされている。このように構成すれば、凸状の第２係合部を溝形状の第１係合部に係合させる際に、丸みを帯びるように面取りされた角部により、凸状の第２係合部を案内することができるので、凸状の第２係合部を溝形状の第１係合部に容易に係合させることができる。
【００１７】
上記一の局面による医療用イメージング装置において、好ましくは、第１係合部は、装置本体部の上面部に複数設けられている。このように構成すれば、装置本体部の上面部の複数の場所において、操作部を安定した状態で載置することができる。
【００１８】
上記一の局面による医療用イメージング装置において、好ましくは、被検体内の造影剤は、蛍光剤を含み、光源部は、被検体内の蛍光剤に近赤外線励起光を照射するように構成されており、検出部は、光源部から照射される近赤外線励起光により発生された、被検体内からの近赤外線蛍光を検出するように構成されている。このように構成すれば、被検体内からの近赤外線蛍光を検出する医療用イメージング装置において、操作部を安定した状態で載置することができる。
【発明の効果】
【００１９】
本発明によれば、上記のように、操作部を安定した状態で載置することができる。
【図面の簡単な説明】
【００２０】
【図１】本発明の一実施形態による近赤外蛍光イメージング装置のブロック図である。
【図２】本発明の一実施形態による近赤外蛍光イメージング装置の表示部に表示される画像を示す図である。
【図３】本発明の一実施形態による近赤外蛍光イメージング装置の斜視図である。
【図４】本発明の一実施形態による近赤外蛍光イメージング装置の上面図である。
【図５】本発明の一実施形態による近赤外蛍光イメージング装置の操作部が凹部に係合される（嵌め込まれる）前の状態を示す図である。
【図６】本発明の一実施形態による近赤外蛍光イメージング装置の操作部が凹部に係合された（嵌め込まれた）後の状態を示す図（断面図）である。
【図７】本発明の一実施形態の第１変形例による近赤外蛍光イメージング装置の上面図である。
【図８】本発明の一実施形態の第２変形例による近赤外蛍光イメージング装置の斜視図である。
【発明を実施するための形態】
【００２１】
以下、本発明を具体化した実施形態を図面に基づいて説明する。
【００２２】
［本実施形態］
図１〜図６を参照して、本発明の一実施形態による近赤外蛍光イメージング装置１００について説明する。なお、近赤外蛍光イメージング装置１００は、たとえば、外科手術において、血管造影のために用いられる。また、近赤外蛍光イメージング装置１００は、特許請求の範囲の「医療用イメージング装置」の一例である。
【００２３】
図１に示すように、近赤外蛍光イメージング装置１００は、光源部１を備えている。光源部１は、白色光を被検体（図示せず）に照射する第１光源部１ａと、被検体内の蛍光剤に近赤外線励起光を照射する第２光源部１ｂとを備えている。具体的には、蛍光剤は、蛍光色素であるインドシアニングリーン（ＩＣＧ）からなる。また、近赤外線励起光は、約８１０ｎｍの波長を有する近赤外光である。そして、約８１０ｎｍの波長を有する近赤外光が、インドシアニングリーンに照射されることにより、インドシアニングリーンから約８４５ｎｍの波長を有する近赤外蛍光が発生される。また、第１光源部１ａから照射された白色光は、反射光として被検体から反射される。なお、蛍光剤は、特許請求の範囲の「造影剤」の一例である。また、第２光源部１ｂは、特許請求の範囲の「光源部」の一例である。
【００２４】
また、近赤外蛍光イメージング装置１００は、照射制御部２を備えている。照射制御部２は、光源部１からの光（白色光、近赤外線励起光）の照射、照射の停止などを制御するように構成されている。
【００２５】
また、光源部１の近傍には、ズームレンズ３が設けられている。ズームレンズ３には、被検体からの反射光（可視光）と、被検体内のインドシアニングリーンから発生された近赤外蛍光とが入射する。
【００２６】
また、ズームレンズ３の近傍には、プリズム４が設けられている。プリズム４には、ズームレンズ３からの光（白色光、近赤外線励起光）が入射する。そして、プリズム４は、被検体からの反射光（可視光）と、被検体内のインドシアニングリーンから発生された近赤外蛍光とを分離する機能を有する。
【００２７】
また、近赤外蛍光イメージング装置１００は、プリズム４により分離された可視光を検出する可視光センサ５を備えている。また、近赤外蛍光イメージング装置１００は、第２光源部１ｂから照射される近赤外線励起光により発生された、被検体内からの近赤外蛍光を検出する近赤外蛍光センサ６を備えている。なお、近赤外蛍光センサ６は、特許請求の範囲の「検出部」の一例である。
【００２８】
また、近赤外蛍光イメージング装置１００は、画像形成部７を備えている。画像形成部７には、可視光センサ５によって検出された可視光と、近赤外蛍光センサ６によって検出された近赤外蛍光とが入力される。そして、画像形成部７は、可視光センサ５によって検出された可視光を、ＲＧＢ（赤、緑、青）の３色により構成される２４ビット（＝３×８）の画像として形成する。また、画像形成部７は、近赤外蛍光センサ６によって検出された近赤外蛍光を、８ビットの画像として形成する。
【００２９】
また、近赤外蛍光イメージング装置１００は、画像合成部８を備えている。画像合成部８は、画像形成部７により形成された可視光による画像（可視画像）２０１（図２参照）と近赤外蛍光による画像（近赤外蛍光画像）２０２とを合成して、合成画像２０３を形成する。
【００３０】
また、近赤外蛍光イメージング装置１００は、表示部９を備えている。図２に示すように、表示部９には、画像形成部７により形成された可視光による画像２０１、近赤外蛍光による画像２０２、および、合成画像２０３が表示される。
【００３１】
また、図１に示すように、近赤外蛍光イメージング装置１００は、保存部１０を備えている。保存部１０は、可視光センサ５によって検出された可視光（信号）と、近赤外蛍光センサ６によって検出された近赤外蛍光（信号）とを保存するように構成されている。
【００３２】
また、近赤外蛍光イメージング装置１００には、録画部１１が設けられている。録画部１１は、表示部９に表示される画像を録画するように構成されている。
【００３３】
また、近赤外蛍光イメージング装置１００は、操作部２０を備えている。操作部２０は、近赤外蛍光イメージング装置１００の操作を行うように構成されている。たとえば、操作部２０は、光源部１からの光の照射、照射の停止、明るさおよび感度の調整、表示部９に表示される画像の表示方法などを操作するように構成されている。
【００３４】
また、図３に示すように、近赤外蛍光イメージング装置１００は、第１光源部１ａ、第２光源部１ｂ、可視光センサ５、および、近赤外蛍光センサ６などが設けられる装置本体部３０を備えている。なお、第１光源部１ａ、第２光源部１ｂ、可視光センサ５、および、近赤外蛍光センサ６などは、照明・撮影部３１内に配置されている。また、装置本体部３０には、アーム部３２が設けられている。照明・撮影部３１は、アーム部３２に取り付けられており、照明・撮影部３１は、上下移動可能に構成されている。
【００３５】
また、操作部２０は、装置本体部３０とは別個に移動可能に設けられている。具体的には、操作部２０は、ケーブル２１により装置本体部３０に接続されている。また、操作部２０の上面（Ｚ１方向側の面）は、略平坦面状に形成されている。そして、略平坦面状の操作部２０の上面に操作ボタン（図示せず）が設けられている。
【００３６】
ここで、本実施形態では、図３〜図６に示すように、装置本体部３０の上面部３０ａには、凹状の凹部３３が設けられている。そして、操作部２０には、凹状の凹部３３に移動可能に係合する凸状の凸部２２が設けられている。具体的には、装置本体部３０の上面部３０ａは、平坦面状に形成されている。そして、凹部３３は、平坦面状の上面部３０ａに形成されている。また、凸部２２は、操作部２０の下面２０ａに設けられている。なお、凹部３３は、特許請求の範囲の「第１係合部」の一例である。また、凸部２２は、特許請求の範囲の「第２係合部」の一例である。
【００３７】
また、本実施形態では、図５に示すように、凹部３３は、所定の方向（Ｘ方向）に沿って略直線状に延びる溝形状を有している。また、凸部２２は、溝形状の凹部３３に嵌め込まれた状態で、溝形状の凹部３３に沿ってスライド移動可能なように、所定の方向（Ｘ方向）に沿って略直線状に延びるように設けられている。具体的には、凸部２２の凹部３３への嵌め込みが可能なように、凸部２２のＸ方向の幅Ｗ１は、凹部３３のＸ方向の幅Ｗ２と略等しいか、凹部３３のＸ方向の幅Ｗ２よりもわずかに小さい。また、凸部２２のＺ方向の突出高さｈは、凹部３３のＺ方向の深さｄと略等しいか、凹部３３のＺ方向の深さｄよりもわずかに小さい。これにより、図６に示すように、凸部２２を凹部３３に嵌め込んだ状態で、操作部２０の下面２０ａは、平坦面状の上面部３０ａに当接する。
【００３８】
また、本実施形態では、図５に示すように、凹部３３の所定の方向（Ｘ方向）に沿った方向の長さＬ１は、凸部２２の所定の方向（Ｘ方向）に沿った方向の長さＬ２よりも大きい。具体的には、操作部２０は、略長方形形状を有しており、凸部２２は、略長方形形状の操作部２０の短辺２０ｂに沿って設けられている。また、凸部２２は、操作部２０のＸ方向の一方端から他方端に渡って設けられている。すなわち、凸部２２の所定の方向に沿った方向の長さＬ２は、操作部２０の短辺２０ｂの長さに略等しい。そして、凹部３３の所定の方向の長さＬ１は、たとえば、凸部２２の所定の方向に沿った方向の長さＬ２の２倍以上である。これにより、操作部２０は、操作部２０の短辺２０ｂの長さ分以上、凹部３３に沿ってスライド可能になる。また、操作部２０が複数設けられている場合、１つの凹部３３に２つの操作部２０を配置することが可能になる。
【００３９】
また、図３に示すように、装置本体部３０は、移動可能に構成されている。具体的には、装置本体部３０の下面には、キャスタ３４が設けられている。また、装置本体部３０のＹ２方向側には、取っ手３５が設けられている。そして、ユーザは、取っ手３５を把持して装置本体部３０を押すことにより、装置本体部３０がＹ１方向側に移動される。そして、本実施形態では、溝形状の凹部３３は、装置本体部３０の移動方向（Ｙ１方向）と交差する方向に沿って略直線状に延びるように構成されている。具体的には、溝形状の凹部３３は、装置本体部３０の移動方向（Ｙ１方向）と直交するＸ方向に沿って延びるように構成されている。
【００４０】
また、本実施形態では、溝形状の凹部３３は、操作部２０と装置本体部３０とを接続するケーブル２１の自重により、操作部２０が引っ張られる方向と交差する方向に沿って略直線状に延びるように構成されている。具体的には、ケーブル２１は、操作部２０のＹ２方向側の端部と、装置本体部３０のＹ２方向側の側面部３０ｂとを接続するように設けられている。また、ケーブル２１は、操作部２０の凸部２２が、装置本体部３０の凹部３３に嵌め込まれている状態で、装置本体部３０の上面部３０ａから下方に垂れさがる。これにより、操作部２０は、ケーブル２１の自重により、Ｙ２方向側に引っ張られる。そして、溝形状の凹部３３は、操作部２０が引っ張られるＹ２方向と直交するＸ方向に沿って略直線状に延びるように構成されている。
【００４１】
また、図２に示すように、溝形状の凹部３３は、平面視において、装置本体部３０の上面部３０ａのＹ方向の中心Ｃ１よりもＹ１方向側（または、中心Ｃ１近傍）に配置されている。また、操作部２０の凸部２２は、操作部２０のＹ方向の中心Ｃ２よりも、平面視において、操作部２０のケーブル２１が接続される側（Ｙ２方向側）とは反対側（Ｙ１方向側）に設けられている。
【００４２】
また、図５に示すように、装置本体部３０は、上面部３０ａに交差する側面部３０ｃおよび３０ｄを含む。なお、側面部３０ｃおよび３０ｄは、それぞれ、装置本体部３０のＸ１方向側およびＸ２方向側に設けられている。そして、本実施形態では、溝形状の凹部３３の所定の方向（Ｘ方向）に沿った方向の一方端および他方端が、それぞれ、側面部３０ｃおよび３０ｄに達しないように、溝形状の凹部３３の一方端および他方端には、それぞれ、壁部３６が設けられている。なお、壁部３６は、Ｙ−Ｚ平面に沿って平坦面状に設けられている。また、操作部２０の凸部２２のＹ１方向側およびＹ２方向側の端面２２ａも、Ｙ−Ｚ平面に沿って平坦面状に設けられている。これにより、凸部２２の端面２２ａと、凹部３３の壁部３６とは、面接触可能に構成されている。
【００４３】
また、本実施形態では、溝形状の凹部３３の、開口端面側（Ｚ１方向側）でかつ所定の方向に直交する方向（Ｙ方向）の角部３３ａは、丸みを帯びるように面取りされている。具体的には、溝形状の凹部３３は、底部３３ｂと、底部３３ｂのＹ１方向側およびＹ２方向側からＺ１方向側に連続するように延びる内側面部３３ｃとを含む。そして、凹部３３の内側面部３３ｃと、装置本体部３０の上面部３０ａとが、丸みを帯びるように（Ｒ形状に）接続されている。なお、底部３３ｂと内側面部３３ｃとも、丸みを帯びるように（Ｒ形状に）接続されている。
【００４４】
また、凸部２２の形状は、凹部３３の底部３３ｂおよび内側面部３３ｃの形状に略一致（対応）するように構成されている。すなわち、凸部２２の先端部２２ｂと外側面部２２ｂとは、丸みを帯びるように（Ｒ形状に）接続されている。すなわち、凸部２２も凹部３３の形状に対応するように面取りされている。これにより、凸部２２と凹部３３との間に略隙間がない状態で、凸部２２が凹部３３に係合する。
【００４５】
（本実施形態の効果）
本実施形態では、以下のような効果を得ることができる。
【００４６】
本実施形態では、上記のように、装置本体部３０の上面部３０ａに、凹部３３を設けるとともに、操作部２０に、凹部３３に移動可能に係合する凸部２２を設ける。これにより、操作部２０を装置本体部３０の上面部３０ａに係合することができるので、装置本体部３０の上面部３０ａに載置された備品などが操作部２０に衝突することに起因して操作部２０が上面部３０ａから滑り落ちてしまうのを抑制することができる。その結果、操作部２０を安定した状態で近赤外蛍光イメージング装置１００に載置することができる。
【００４７】
また、装置本体部３０の上面部３０ａに凸状の係合部が設けられる場合と異なり、装置本体部３０の上面部３０ａを平坦面にすることができる。これにより、装置本体部３０の上面部３０ａ上に、操作部２０以外の備品などを容易に載置することができる。
【００４８】
また、本実施形態では、上記のように、凹部３３は、所定の方向に沿って略直線状に延びる溝形状を有し、凸部２２は、溝形状の凹部３３に嵌め込まれた状態で、溝形状の凹部３３に沿ってスライド移動可能なように、所定の方向に沿って略直線状に延びるように設けられている。これにより、操作部２０を装置本体部３０の上面部３０ａの中央部近傍から端部側にスライド移動させることによって、装置本体部３０の上面部３０ａ上の空き領域（備品などを載置するための領域）を広げることができる。また、ユーザが操作部２０を操作しやすい位置に、操作部２０を移動させることができる。
【００４９】
また、本実施形態では、上記のように、溝形状の凹部３３を、装置本体部３０の移動方向と交差する方向に沿って略直線状に延びるように構成する。これにより、装置本体部３０が移動する場合、装置本体部３０の移動方向に操作部２０が移動する（動く）のを、溝形状の凹部３３により抑制することができる。
【００５０】
また、本実施形態では、上記のように、溝形状の凹部３３を、ケーブル２１の自重により、操作部２０が引っ張られる方向と交差する方向に沿って略直線状に延びるように構成する。これにより、操作部２０がケーブル２１の自重により引っ張られて移動するのを、溝形状の凹部３３により抑制することができる。
【００５１】
また、本実施形態では、上記のように、凹部３３の、所定の方向に沿った方向の長さＬ１を、凸部２２の、所定の方向に沿った方向の長さＬ２よりも大きくする。これにより、操作部２０の所定の方向に沿った移動距離を比較的大きくすることができる。
【００５２】
また、本実施形態では、上記のように、溝形状の凹部３３の所定の方向に沿った方向の一方端および他方端が、それぞれ、側面部３０ｃおよび３０ｄに達しないように、溝形状の凹部３３の一方端および他方端に、それぞれ、壁部３６を設ける。これにより、溝形状の凹部３３が側面部３０ｃおよび３０ｄに達している場合と異なり、操作部２０のスライド移動による操作部２０の装置本体部３０からの脱落を壁部３６により抑制することができる。
【００５３】
また、本実施形態では、上記のように、溝形状の凹部３３の、開口端面側でかつ所定の方向に直交する方向の角部３３ａを、丸みを帯びるように面取りする。これにより、凸部２２を溝形状の凹部３３に係合させる際に、丸みを帯びるように面取りされた角部３３ａにより、凸部２２を案内することができるので、凸部２２を溝形状の凹部３３に容易に係合させることができる。
【００５４】
また、本実施形態では、上記のように、第２光源部１ｂは、被検体内の蛍光剤に近赤外線励起光を照射するように構成されており、近赤外蛍光センサ６は、第２光源部１ｂから照射される近赤外線励起光により発生された、被検体内からの近赤外線蛍光を検出するように構成されている。これにより、被検体内からの近赤外線蛍光を検出する近赤外蛍光イメージング装置１００において、操作部２０を安定した状態で載置することができる。
【００５５】
［変形例］
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００５６】
たとえば、上記実施形態では、操作部の凸部と、装置本体部の上面部の凹部とが係合する例を示したが、本発明はこれに限られない。たとえば、凸部および凹部以外の形状（構造）により、操作部と装置本体部の上面部とが係合するようにしてもよい。
【００５７】
また、上記実施形態では、操作部に凸部が設けられるとともに装置本体部の上面部に凹部が設けられている例を示したが、本発明はこれに限られない。たとえば、操作部に凹部を設けるとともに装置本体部の上面部に凸部を設けてもよい。
【００５８】
また、上記実施形態では、操作部の凸部、および、装置本体部の上面部の凹部が略直線状に延びるように構成されている例を示したが、本発明はこれに限られない。たとえば、操作部の凸部、および、装置本体部の上面部の凹部が略直線状以外の形状（円弧状など）に構成されていてもよい。
【００５９】
また、上記実施形態では、凸部が、略長方形形状の操作部の短辺に沿った方向の一方端から他方端に渡って設けられている例を示したが、本発明はこれに限られない。たとえば、凸部が、略長方形形状の操作部の短辺に沿った方向の一方端と他方端との間に部分的に設けられていてもよい。
【００６０】
また、上記実施形態では、凹部と凸部との両方が面取りされている例を示したが、本発明はこれに限られない。たとえば、凹部のみが面取りされていてもよい。
【００６１】
また、上記実施形態では、装置本体部の上面部に、凹部が１つ設けられている例を示したが、本発明はこれに限られない。たとえば、図７に示す第１変形例による近赤外蛍光イメージング装置１１０のように、装置本体部１３０の上面部１３０ａに凹部１３１が複数（第１変形例では２個）設けられていてもよい。これにより、装置本体部１３０の上面部１３０ａの複数の場所において、操作部２０を安定した状態で載置することができる。なお、凹部１３１は、特許請求の範囲の「第１係合部」の一例である。また、近赤外蛍光イメージング装置１１０は、特許請求の範囲の「医療用イメージング装置」の一例である。
【００６２】
また、上記実施形態では、操作部に凸部が１つ設けられている例を示したが、本発明はこれに限られない。たとえば、図８に示す第２変形例による近赤外蛍光イメージング装置１２０のように、装置本体部１４０の上面部１４０ａに複数（たとえば２つ）の凹部１４１を設けるとともに、操作部１５０に、複数の凹部１４１に係合する複数（たとえば２つ）の凸部１５１を設けてもよい。なお、凹部１４１は、特許請求の範囲の「第１係合部」の一例である。また、凸部１５１は、特許請求の範囲の「第２係合部」の一例である。また、近赤外蛍光イメージング装置１２０は、特許請求の範囲の「医療用イメージング装置」の一例である。
【００６３】
また、上記実施形態では、近赤外蛍光イメージング装置に操作部が１つ設けられている例を示したが、本発明はこれに限られない。たとえば、近赤外蛍光イメージング装置に、複数の操作部を設けてもよい。
【００６４】
また、上記実施形態では、本発明を近赤外蛍光イメージング装置に適用する例を示したが、本発明はこれに限られない。たとえば、近赤外蛍光イメージング装置以外の医療用イメージング装置に本発明を適用してもよい。
【符号の説明】
【００６５】
１ｂ  第２光源部（光源部）
６  近赤外蛍光センサ（検出部）
２０、１５０  操作部
２１  ケーブル
２２、１５１  凸部（第２係合部）
３０、１３０、１４０  装置本体部
３０ａ、１３０ａ、１４０ａ  上面部
３０ｃ、３０ｄ  側面部
３３、１３１、１４１  凹部（第１係合部）
３３ａ  角部
３６  壁部
１００、１１０、１２０  近赤外蛍光イメージング装置（医療用イメージング装置）
【図１】
2017209386.tif 000003
【図２】
2017209386.tif 000004
【図３】
2017209386.tif 000005
【図４】
2017209386.tif 000006
【図５】
2017209386.tif 000007
【図６】
2017209386.tif 000008
【図７】
2017209386.tif 000009
【図８】
2017209386.tif 000010